(57)【特許請求の範囲】
【請求項１】
船虫を内部に誘導する船虫誘導部材と、該船虫誘導部材を通じて誘導した船虫を捕捉する船虫捕捉部材とからなる船虫捕捉装置であって、
上記船虫誘導部材は、大きい方の開口が入口になされた漏斗状に形成されて上記船虫捕捉部材内に連通されてなり、
上記船虫捕捉部材は、遮蔽手段により内部が遮蔽される一方、内部にはこの内部を適宜湿度に保つ保湿部材が設けられるとともに、大きい船虫と小さい船虫とを振り分ける振り分け手段が設けられたことを特徴とする船虫捕捉装置。
【請求項２】
前記船虫捕捉部材は、前記振り分け手段を境にして前記船虫誘導部材側が大きい船虫を捕捉する第１捕捉部に、その反対側が小さい船虫を捕捉する第２捕捉部になされ、第１捕捉部の外端部には前記船虫誘導部材が連結されるキャップ部材が着脱自在に設けられたことを特徴とする請求項１記載の船虫捕捉装置。
【請求項３】
前記船虫誘導部材は、前記船虫捕捉部材に対する角度が可変になされたことを特徴とする請求項１又は２記載の船虫捕捉装置。
【請求項４】
前記キャップ部材に前記船虫誘導部材が着脱自在に設けられ、当該船虫誘導部材が第１捕捉部内に収納可能になされたことを特徴とする請求項１、２又は３記載の船虫捕捉装置。
【発明の詳細な説明】
【技術分野】
【０００１】
本発明は、船虫を捕捉するための船虫捕捉装置に関するものである。
【背景技術】
【０００２】
従来、磯の岩場などには船虫が生息しており、釣り人の中にはこの船虫を磯釣りなどをする際の餌にしている者も多い。
【０００３】
このように船虫を磯釣りの餌にしようとする場合、従来では磯で釣り人自身が手で捕まえており、船虫を捕捉する専用の捕捉装置のようなものは従来見られなかった。
【発明の開示】
【発明が解決しようとする課題】
【０００４】
しかしながら、船虫は人が近づくと岩場の隙間や影にさぁと逃げてしまうため、人の手で捕まえるのが大変で、釣りに必要な分の船虫を確保するのはなかなか困難であった。
【０００５】
本発明は、上記問題点に鑑みてなされたもので、その目的とするところは、岩場などの船虫が生息する場所に置いておくことで、簡単に船虫を捕捉してこの船虫を餌にして釣りを楽しむことができ、しかも捕捉した船虫を生きた状態で維持することのできる船虫捕捉装置を提供することを目的とするものである。
【０００６】
また、本発明のさらに目的とするところは、大きい船虫と小さい船虫を振り分けた状態で捕捉することができ、しかも持ち運びに便利な船虫捕捉装置を提供することにある。
【課題を解決するための手段】
【０００７】
上記の目的を達成するため、請求項１に係る発明の船虫捕捉装置は、船虫を内部に誘導する船虫誘導部材と、該船虫誘導部材を通じて誘導した船虫を捕捉する船虫捕捉部材とからなる船虫捕捉装置であって、上記船虫誘導部材は、大きい方の開口が入口になされた漏斗状に形成されて上記船虫捕捉部材内に連通されてなり、上記船虫捕捉部材は、遮蔽手段により内部が遮蔽される一方、内部にはこの内部を適宜湿度に保つ保湿部材が設けられるとともに、大きい船虫と小さい船虫とを振り分ける振り分け手段が設けられたものである。
【０００８】
請求項２に係る発明の船虫捕捉装置は、前記船虫捕捉部材が、前記振り分け手段を境にして前記船虫誘導部材側が大きい船虫を捕捉する第１捕捉部に、その反対側が小さい船虫を捕捉する第２捕捉部になされ、第１捕捉部の外端部には前記船虫誘導部材が連結されるキャップ部材が着脱自在に設けられたものである。
【０００９】
請求項３に係る発明の船虫捕捉装置は、前記船虫誘導部材が、前記船虫捕捉部材に対する角度が可変になされたものである。
【００１０】
請求項４に係る発明の船虫捕捉装置は、前記キャップ部材に前記船虫誘導部材が着脱自在に設けられ、当該船虫誘導部材が第１捕捉部内に収納可能になされたものである。
【発明の効果】
【００１１】
本発明の船虫捕捉装置によれば、船虫を簡単に捕捉することができるとともに、当該船虫を釣り餌として最適な生きた状態で捕らえておくことができるので、釣り人にとっては、釣り餌として必要な量の船虫を釣り場において簡単に調達できて釣りを楽しむことができる。
【００１２】
また、振り分け手段により小さい船虫と大きい船虫とを振り分けて捕捉することができるため、捕捉した後に振り分ける必要がなく大きな船虫だけを餌として手軽に用いることができる。
【００１３】
さらに、船虫誘導部材を第１捕捉部内に収納することで、装置全体をコンパクトにすることができ嵩張らず持ち運びが便利になる。
【発明を実施するための最良の形態】
【００１４】
以下、本発明の実施の形態について図面を参照して説明する。
【００１５】
図１は、本発明の船虫捕捉装置の全体構成を示している。
【００１６】
この船虫捕捉装置１は、船虫を内部に誘導する船虫誘導部材２と、該船虫誘導部材２を通じて誘導した船虫を捕捉する船虫捕捉部材３とを備えている。
【００１７】
船虫誘導部材２は、船虫捕捉部材３にセットした際に大きい方の開口が入口２１となる漏斗状に形成されており、その反対側の基端部が後述するキャップ部材３２に連結されて船虫捕捉部材３内に連通されている。
【００１８】
そして、この船虫誘導部材２の内面には滑り止め手段２２が施されている。滑り止め手段２２は、例えばフェルトなどの布部材を内面に貼付けることによって構成しており、これにより上記入口２１から侵入する船虫を滑り落ちないようにして船虫捕捉部材３内に円滑に導くようにしている。なお、船虫誘導部材２の内面だけに限らず、その外面にも上述したような滑り止め手段を施すようにしてもよい。
【００１９】
船虫捕捉部材３は、図２に示すように例えば透明な筒状の捕捉本体部３１の開口された一端部がキャップ部材３２により着脱自在に設けられ、このキャップ部材３２に前記船虫誘導部材２の基端部が着脱自在に連結されるように構成されている。
【００２０】
そして、キャップ部材３２を捕捉本体部３１の一端部に取り付ける角度を調整することで、捕捉本体部３１に対する船虫誘導部材２の角度を適宜に調整できるようにしている。
【００２１】
また、捕捉本体部３１内には大きい船虫と小さい船虫とを振り分ける振り分け手段４が設けられており、この振り分け手段４を境にして捕捉本体部３１が大きい船虫を捕捉する第１捕捉部３３と、その反対側が小さい船虫を捕捉する第２捕捉部３４に区画されている。つまり、捕捉本体部３１の開口された一端部が第１捕捉部３３の外端部３３ａになっており、この外端部３３ａにキャップ部材３２が着脱自在に設けられている。
【００２２】
振り分け手段４は、具体的には、例えば、所定の大きさの開口４１ａを有する網状部材４１と、所定の大きさの通孔４２ａを有する部材４２とを重ね合わせることにより構成されており、これら開口４１ａと通孔４２ａとを通過した小さい船虫のみを第１捕捉部３３から第２捕捉部３４に捕捉するようになっている。
【００２３】
そして、前記第１捕捉部３３の内部には、図２に示すように保湿部材５が配設されている。保湿部材５は、第１捕捉部３３に捕捉した船虫を生かした状態で確保しておくためのもので、例えば布部材を円筒状に形成することによって構成している。
【００２４】
この保湿部材５は、海水などによって予め濡らしておくことで、第１捕捉部３３内を船虫の生息環境に良い適宜な湿度に保持するようにしている。また、保湿部材５には船虫を船虫誘導部材２を通じて第１捕捉部３３内に導いて捕捉するための餌を配置するようにしている。船虫を捕捉するための餌としては、例えばまきエビなどのまき餌や水あかなどが使用される。
【００２５】
一方、第２捕捉部３４の外端部には取出口３５が形成されており、この取出口３５を通じて第２捕捉部材３４で捕捉した小さい船虫を取り出すようにしている。
【００２６】
具体的には、取出口３５には例えばビニールなどで出来た長尺状の袋３６の一端が連結されており、この袋３６の開口された他端が閉塞部材３７によって折り返された状態で閉塞されている。閉塞部材３７はワンタッチで袋３６の他端から取り外すことができるように構成されており、この閉塞部材３７を取り外すことによって袋３６の他端が開口されて小さい船虫を取り出すようにしている。
【００２７】
なお、第２捕捉部３４内にも第１捕捉部３３と同様に保湿部材５を配設してもよい。
【００２８】
また、前記捕捉本体部３１の外周面には、前後に２つの支持材３８が設けられている。支持材３８はの外周面が矩形状に形成されており、これら支持材３８によって装置全体を磯場などの適所に安定的に配置できるようにしている。
【００２９】
さらに、このように構成された捕捉本体部３１の外周は、図２に示すようにその全体が被覆体３９で被覆されている。前記被覆体３９は、捕捉本体部３１の内部を遮蔽する遮蔽手段を構成するもので、筒状に形成した黒い布で構成されており、図示しない締結バンドなどのような適宜な保持手段により被覆体３９を捕捉本体部３１に保持するようにしている。
【００３０】
このように捕捉本体部３１内を暗室状態にするのは、船虫が暗い所を好むという習性に基づくもので、前述した保湿部材５により捕捉本体部３１内を適度な湿度に保持することと相まって、当該捕捉本体部３１内を船虫の好む環境にしている。
【００３１】
次に、このように構成された船虫捕捉装置の使用について説明する。
【００３２】
まず、船虫を捕捉する場合には、キャップ部材３２を取り外した外端部３３ａの開口を通じて海水などで第１捕捉部３３内の保湿部材５を適当な湿度になるように濡らすとともに、この保湿部材５に船虫の餌を入れておく。
【００３３】
次に、キャップ部材３２を第１捕捉部３３に装着してこのキャップ部材３２に船虫誘導部材２を連結するとともに、捕捉本体部３１全体を被覆体３９で被覆しておく。
【００３４】
このようにして船虫捕捉装置１のセットが完了すると、当該船虫捕捉装置１を磯場などの船虫が生息していそうな場所に置いておく。この際、磯場などの地形状態に応じてキャップ部材３２の捕捉本体部３１に対する閉塞状態を調整することで、捕捉本体部３１に対する船虫誘導部材２の角度を調整しておく。つまり、船虫誘導部材２の外端開口が磯場に接して船虫が船虫誘導部材２に入り易いように船虫誘導部材２の角度を調整しておく。
【００３５】
これにより船虫が船虫誘導部材２の入口２１から漏れる餌の臭いにつられて第１捕捉部３３内に侵入し、保湿部材５の餌を食べることによって当該第１捕捉部３３内に捕捉される。
【００３６】
このように第１捕捉部３３内に捕捉された船虫のうち、振り分け手段４の開口４１ａと通孔４２ａとを通過できる小さい船虫は第２捕捉部３４に侵入することができ、これにより第１捕捉部３３には上記振り分け手段４を通過できない大きい船虫を捕捉することができる。
【００３７】
従って、ある程度の大きい船虫を第１捕捉部３３に捕捉すれば、キャップ部材３２を第１捕捉部３３から取り外すことによって、大きい船虫を必要量取り出すことで釣り餌として使用することができる。そして、釣りをしながら再び放置しておくことでさらに多くの大きい船虫を捕捉することができる。
【００３８】
また、第２捕捉部３４に捕捉された小さい船虫は取出口３５から袋３６を通じて外部に取り出して撒餌などとして使用することができる。
【００３９】
このように船虫を捕捉本体部３１内に簡単に捕捉することができるとともに、第１捕捉部３３内では船虫に適した環境になされているので、当該第１捕捉部で捕捉する大きい船虫を釣り餌として最適な生きた状態で捕らえておくことができる。つまり、釣り人にとっては、釣り餌として必要な量の船虫を釣り場において簡単に調達できて釣りを楽しむことができる。
【００４０】
また、振り分け手段４により、大きい船虫を第１捕捉部３３に、小さい船虫を第２捕捉部３４に予め選別して捕捉することができるため、捕捉後に大きい船虫と小さい船虫とを選別する手間を省くことができ、大きな船虫だけを餌として手軽に用いることができる。
【００４１】
さらに、この船虫捕捉装置１を一晩など長時間放置しておくことで、大量の船虫を捕捉することができる。
【００４２】
また、使用後においては、図３に示すように船虫誘導部材２をキャップ部材３２から取り外して第１捕捉部３３内に収納し、再びキャップ部材３２で第１捕捉部３３を閉塞することにより、装置全体をコンパクトなものにできて嵩張らずに持ち運びが便利になる。
【００４３】
ところで、このように構成された船虫捕捉装置１は、捕捉本体部３１内に捕捉した船虫を全て逃がさないように完全な形で捕捉するものでなく、多少の船虫が船虫誘導部材２側から逃げる出すことを許容することによって、構造の簡略化を優先する形で作製している。
【００４４】
また、捕捉本体部３１には、前記キャップ部材３２を挿通して外部にループ状に配設された紐部材６の両端が固定されており、この紐部材６により装置を磯場などに吊るした状態でセットできるとともに、捕捉本体部３１からのキャップ部材３２の脱落なども防止することができる。
【００４５】
そして、捕捉により捕捉本体部３１内などが汚れた場合には、キャップ部材３２を捕捉本体部３１から取り外すことで、簡単に清掃することができる。
【００４６】
なお、上述した実施形態は、あくまでも本発明の好適な実施態様を示すものであって、本発明はこれに限定されることなく、その範囲内において種々設計変更可能である。
【００４７】
例えば、振り分け手段４は、網状部材４１と部材４２との２枚を重ね合わせて構成したものに限らず、単体でもよいし、捕捉本体部３１内において大きい船虫と小さい船虫とに振り分けることができるものであれば何でもよい。
【００４８】
また、船虫捕捉部材３に対して船虫誘導部材２を角度変更させる機構は、例えば船虫誘導部材２の基端部を蛇腹状にすることで船虫誘導部材２自体に持たせてもよく、捕捉本体部３１側に持たせてもよい。
【００４９】
さらに、遮蔽手段として被覆体３９により捕捉本体部３１内を遮蔽するようにしたが、捕捉本体部３１自体を黒色等の材料で成形することによって遮蔽手段を構成してもよい。
【００５０】
また、保湿部材５も布部材に限らず、適度な湿度で船虫に住みやすい環境を与えるものであればよく、また滑り止め手段も布部材だけに限るものでない。
【００５１】
さらに、船虫誘導部材２及び前記船虫捕捉部材３の形状、大きさ等も適宜に決定すればよい。
【図面の簡単な説明】
【００５２】
【図１】本発明の船虫捕捉装置を磯場などにセットするときの状態を示す斜視図である。
【図２】本発明の船虫捕捉装置を磯場などにセットするときの状態を示す断面図である。
【図３】持ち運び時などに船虫誘導部材２を内部に収納した状態を示す分解斜視図である。
【符号の説明】
【００５３】
１  船虫捕捉装置
２  船虫誘導部材
３  船虫捕捉部材
３２  キャップ部材
３３  第１捕捉部
３４  第２捕捉部
３９  被覆体（遮蔽手段）
４  振り分け手段
５  保湿部材
【図１】
0003727322.tif 000002
【図２】
0003727322.tif 000003
【図３】
0003727322.tif 000004